(57)【要約】本発明は未加硫の生タイヤを製造するための方法及び装置に関するものである。本装置はタイヤ構成ドラムを有しており、それは複数の折返し指部を用いて層の折返しを実現するためのデバイスを有している。折返し指部はスライドリングを介して駆動部と連結されており、当該駆動部はタイヤ構成ドラムの外部に配設されている。本発明に従えば、駆動部と折返し指部の連結は、この連結がタイヤ構成ドラムの回転状態においても静止状態においても実現可能であるように、行われる。
2020523224.tif 000002
【特許請求の範囲】
【請求項１】
未加硫の生タイヤを製造するためのタイヤ構成ドラム（１）を有する、タイヤを製造するための装置にして、前記タイヤ構成ドラム（１）が層の折返しを実現するためのデバイスを有しており、層の折返しを実現するための前記デバイスが複数の折返し指部（８）を有しており、当該折返し指部（８）が少なくとも２つのスライドリング（１０）を介して前記タイヤ構成ドラム（１）の外側に配設されている駆動部と連結可能である装置において、
前記折返し指部（８）が、前記タイヤ構成ドラム（１）の回転時にも、静止時にも、前記駆動部と連結可能であり、また、この駆動部を用いて制御可能であること、
を特徴とする装置。
【請求項２】
請求項１に記載の装置において、
前記タイヤ構成ドラム（１）の外部にて支持される前記駆動部との前記折返し指部（８）の連結が、前記スライドリング（１０）の回転可能なベアリング（１２）によって実現されていること、
を特徴とする装置。
【請求項３】
請求項２に記載の装置において、
前記スライドリング（１０）の前記回転可能なベアリング（１２）がそれぞれ玉軸受として実現されており、当該玉軸受により半径方向及び軸方向の力が受容可能であること、
を特徴とする装置。
【請求項４】
請求項１から３のいずれか一項に記載の装置において、
前記タイヤ構成ドラム（１）がドラムシャフト（２）、アウトボードドラム半体（３）、インボードドラム半体（４）、及び、中心部品（４）を有しており、少なくともドラム半体（３、４）が前記ドラムシャフト（２）にて軸方向に移動可能であること、
を特徴とする装置。
【請求項５】
請求項１から４のいずれか一項に記載の装置において、
前記折返し指部（８）の前記駆動部にして前記タイヤ構成ドラム（１）の外部に配設されている前記駆動部が、サーボ駆動部として形成されていること、
を特徴とする装置。
【請求項６】
請求項１から５のいずれか一項に記載の装置において、
前記スライドリング（１０）がそれぞれ１つのリングノッチ（１０ａ）を有しており、当該リングノッチ（１０ａ）が前記タイヤ構成ドラム（１）の外部に配設された前記駆動部に前記折返し指部（８）を連結させるために用いられること、
を特徴とする装置。
【請求項７】
請求項４に記載の装置において、
前記折返し指部（８）の前記タイヤ構成ドラム（１）の外部で支持されている前記駆動部が、個別に駆動される複数のスピンドルとして実現されており、それらが固定状態にあるタイヤ構成リング（１６）内で支持されておりまた互いに同期して動くこと、
を特徴とする装置。
【請求項８】
タイヤを製造するための装置において、
異なる複数のタイヤ構成ドラム（１）を用いることでフラット構造の生タイヤもクラウン構造の生タイヤも製造され得るように、カーカスマシン（２２）が設計されていること、
を特徴とする装置。
【請求項９】
請求項８に記載のタイヤを製造するための装置において、
フラット構造又はクラウン構造の生タイヤの柔軟な製造が、前記カーカスマシン（２２）内の第２の駆動ユニットによって可能とされること、
を特徴とする装置。
【請求項１０】
請求項１から９のいずれか一項に記載のタイヤを製造するための装置において、
固定状態にあるタイヤ構成リング（１６）内の駆動ユニットが、半径方向に移動可能なドライバ（１１）によって、前記タイヤ構成ドラム（１）の前記スライドリング（１０）に連結可能であること、
を特徴とする装置。
【請求項１１】
請求項１から１０のいずれか一項に記載のタイヤを製造するための装置において、
前記折返し指部（８）が確動ガイド（９）によってその運動に関して案内可能であること、
を特徴とする装置。
【請求項１２】
請求項１から１１のいずれか一項に記載のタイヤを製造するための装置において、
前記折返し指部（８）によって少なくとも一時的に少なくとも１つの外側肩部が実現されているように前記折返し指部（８）が駆動制御可能であり、当該外側肩部によってコア（１９）がコアプランプ装置（６）に加えて、前記タイヤ構成ドラム（１）の回転中も外側で固定可能であること、
を特徴とする装置。
【請求項１３】
請求項１から１２のいずれか一項に記載のタイヤを製造するための装置において、
別のタイヤ構成プロセスにおいて到達されるコアとコアの間の最小の大きさと同じかそれよりも大きいコアセット間隔が達成されるように、折返しプロセス中のコアセット間隔が設定可能であることによって、より効率的に利用可能な材料押圧力が達成されること、
を特徴とする装置。
【請求項１４】
タイヤを製造するための方法において、
タイヤ材料の折返しプロセスが、折返し指部（８）の駆動部にしてタイヤ構成ドラム（１）の外部で支持されている駆動部によって、駆動されること、及び、生タイヤの材料の層の折返しが前記タイヤ構成ドラム（１）の回転中に実行されること、
を特徴とする方法。
【請求項１５】
請求項１４に記載の方法において、
前記タイヤ構成ドラム（１）の両方のドラム半体（３、５）で折返しメカニズムを同期して作動制御することにより、生タイヤの層の格別に均一な折返しが実施されること、
を特徴とする方法。
【請求項１６】
請求項１４又は１５に記載の方法において、
生タイヤ製造の別の経過において到達される最小のコア間隔と同じか又はそれよりも大きいコアとコアの間に大きさでコアをセットすることにより、材料接触圧力の効果的な利用を可能とする有利な力と角度の比率が生じること、
を特徴とする方法。
【発明の詳細な説明】
【技術分野】
【０００１】
本発明はタイヤを製造するための装置に関している。本発明は更にタイヤを製造するための方法に関している。本装置は、未加硫の生タイヤを製造するために、層の折返しを実現するためのデバイスを有するタイヤ構成ドラムを含んでいる。
【背景技術】
【０００２】
未加硫の生タイヤを製造する際は、通常、層の折返し時における必要な押圧力（接触圧力）を準備するためにエアベローズが用いられる。その種のドラムは比較的高価であり、所定のサイクル間隔でのエアベローズの交換を必要とする。特許文献１からは既に、複数の機械的なビード折返し装置を実現することが知られており、それらのビード折返し装置においては必要な押圧力は個別のレバーを複数用いて達成されるが、それらは傘の骨の様に配設されている。これらの機械的な装置は、エアベローズを用いる場合と比べて長い耐用年数を有しているが、しかしながら対称な運転運動を可能にするものではない。
【０００３】
対称的な運転運動を可能とするタイヤを製造するための方法並びにタイヤ構成ドラムについては、特許文献２から知られている。
【０００４】
特許文献２には、層（プライ）の折返しを実現させるためのデバイスが複数の折返し指部を有しており、当該複数の折返し指部がスライドリングを介して、タイヤ構成ドラムの外部に配設されている１つの駆動部と連結されていること、が開示されている。
【０００５】
折返し指部の移動はその際コアセット装置（コアセッティング装置）を用いて実現されており、当該コアセット装置は半径方向の移動によりタイヤ構成ドラムの連結部内へ連結可能であり、また連結後に軸方向の移動により駆動部を折返し指部と連結させる。
【０００６】
しかしながら上述の従来技術に記載の装置によっては、タイヤ構成ドラムの同時の回転なしで、折返し指部の駆動部との連結のみが可能となる。これは、その様に設計されるタイヤ構成ドラムの援用領域を、生タイヤの側壁部上へベルトパッケージ（トレッド）が折り返されているタイヤ構造（ＴＯＳ：トレッド・オーバー・サイドウォール、英：tread over sidewall）の製造に限定する。
【０００７】
それに対して、ベルトパッケージ上へ生タイヤの側壁部が折り返されているタイヤ構造（ＳＯＴ：サイドウォール・オーバー・トレッド、英：sidewall over tread）を製造するためには、製造方法中にタイヤ構成ドラムの回転が可能とされることが必要である。それを用いて、カーカスはその場合高い点精度でドラム上に固定されたままであり、少なくとも回転時に実現される外側肩部（アウターショルダ）が、発生する圧力によってカーカスがそのクランプ部から外れることを回避するために、必要である。
【０００８】
ドラム上でのカーカスのスライドをもたらすことが出来るであろう可能な押圧力は、例えば、生タイヤの製造時のカーカスの巻きつけの押圧力と関連してカーカス内圧の様態で発生する。
【先行技術文献】
【特許文献】
【０００９】
【特許文献１】ＥＰ−Ａ  １  ００１  ８７６
【特許文献２】ＤＥ  ２００６  ０１２  ０２６  Ａ１
【発明の概要】
【発明が解決しようとする課題】
【００１０】
従って本発明の第一の課題は、タイヤ構成ドラムの外側に装備された折返し指部の駆動部を備えるタイヤを製造するための装置を、ＳＯＴ構造でも、また同様にＴＯＳ構造でも、タイヤ構造体の製造が可能とされるように、構成することである。
【００１１】
本発明の更なる第二の課題は、タイヤ構成ドラムの外側に装備された折返し指部の駆動部を備えるタイヤを製造するための方法を、ＳＯＴ構造でも、また同様にＴＯＳ構造でも、タイヤ構造の製造が可能とされるように、決定することである。
【課題を解決するための手段】
【００１２】
第一の課題は本発明に従い、特許請求の範囲の独立請求項１に開示の特徴に対応するタイヤを製造するための装置を実現することによって解決される。
【００１３】
請求項１に対応的に、タイヤを製造するための本発明に従う装置は、未加硫の生タイヤを製造するためのタイヤ構成ドラムを有しており、その際、タイヤ構成ドラムは層の折返しを実現するためのデバイスを有している。層の折返しを実現するためのデバイスは複数の折返し指部を含んでおり、それらは少なくとも２つのスライドリングを介してタイヤ構造ドラムの外部に配設された駆動部と連結可能である。本発明に従い、折返し指部はタイヤ構成ドラムの静止状態においても、回転状態においても、駆動部と連結可能であり、またそれを用いて制御可能である。
【００１４】
第二の課題は本発明に従い、特許請求の範囲の独立請求項１４に開示の特徴に対応するタイヤを製造するための方法によって解決される。
【００１５】
折返し指部の駆動部は、タイヤを製造するための本発明に従う装置の有利な実施形態においては静止状態にあるタイヤ構造リングに装備されており、また、好ましくは３つのスピンドルを有しており、当該スピンドルは有利には個別に対向的にそして同期して駆動可能である。制御としては、好ましくはトルク制御が用いられる。スピンドルを調整するためには、例えば好ましくは単相駆動部或いは三相駆動部として形成されているサーボモータが用いられる。
【００１６】
更に好ましくは、３つのスピンドルが周方向で実質的に互いに等間隔に配設されている。
【００１７】
タイヤ構成ドラムに組み込まれた適切なメカニズムへの駆動スピンドルの力の伝達は、有利な実施形態においては、半径方向へ移動可能なドライバを介して行われる。ドライバは本発明の特に有利な実施形態においてはコアセット装置の一部であり得る。
【００１８】
タイヤ構成ドラムの外部に駆動部を配置することによって、折返し指部をいわゆるスライドリングを介して操作することが可能となり、当該スライドリングは個別の折返し指部の完全に対称的な運転運動を設定する。それにより生タイヤを非常に高くまた均一な品質で製造することが可能である。
【００１９】
生タイヤへ均等に力を及ぼすために、折返し指部は本発明の有利な実施形態においては、均等に、特には等間隔に、タイヤ構成ドラムの周囲の延び部分に配設されている。タイヤ構成ドラムの直径に応じて、タイヤを構成するための本発明に従う装置は、ドラム半体ごとに、有利には約４０から約８０の折返し指部を有している。
【００２０】
好ましい実施形態においては、タイヤを製造するための本発明に従う方法は、タイヤ構成ドラム、ドラムシャフト、インボードドラム半体、アウトボードドラム半体、及び、中心部品を有している。
【００２１】
内側及び外側のドラム半体は、本発明の特に有利な実施形態においては、軸方向に可動的にドラムシャフトに支持されている。中心部品は本発明の有利な実施形態においては、ドラムシャフトに固定的に接続されている。
【００２２】
内側及び外側のドラム半体は、それぞれコアクランプ装置及びショルダーサポートを有しており、それらは半径方向でドラムシャフトの軸に対して相対的に移動可能である。
【００２３】
更に内側及び外側のドラム半体は、有利な実施形態においては、それぞれ複数の折返し指部を有しており、それらを用いてタイヤを製造するために材料の層が折り返し可能である。本発明の格別に有利な実施形態においては、折返し指部はドラム半体の領域で確動ガイド（所定の動きのみを可能とするガイド部）によって、製造されるべき生タイヤへの格別に有利な力の作用実現されているように、案内されている。
【００２４】
タイヤ構成ドラムの外部で支持されている駆動部の半径方向に移動可能なドライバは、ドラム半体の領域に配されたスライドリングを介して折返し指部と連結可能である。スライドリングは有利な実施形態においては、連結装置の対向構造としてドライバを収容するために利用されるリングノッチを有している。
【００２５】
タイヤ製造のための本発明に従う装置の格別に有利な実施形態においては、タイヤ構成ドラムの外部に配設されている駆動部は、タイヤ構成ドラムの回転状態においても、制止状態においても、駆動部と折返し指部の連結が実現可能であるように、スライドリングと連結可能である。
【００２６】
本発明に従い、駆動部及び折返し指部の回転耐性のある連結は、有利にはスライドリングの回転可能な軸受によって行われ、当該ベアリングは例えばそれぞれ回転軸受として形成されている。回転軸受は本発明の有利なバリエーションにおいては、玉軸受（ボールベアリング）として形成され得て、また本発明の別の有利な実施形態においては、ころ軸受（ローラベアリング）として形成され得る。
【００２７】
しかしながら、駆動部及び折返し指部の回転耐性のある連結の別の実施形態も考えられる。その場合、連結された状態での回転を可能にする要素を駆動側の複数の連結要素の領域に配設することが考えられ、それらは、例えば少なくとも連結領域に、タイヤ構成ドラムのドラムシャフトに対する放射軸（径方向軸）の周りに、回転可能な要素を有していてもよい。
【００２８】
更に駆動部及びスライドリングの電磁的な連結も考えられており、それは駆動部及びスライドリングの回転耐性のある連結を、磁場を介して実現する。
【００２９】
スライドリングの本発明に従う回転可能な支持は、タイヤ構成ドラムが制止状態にある場合でも、また同様に回転状態にある場合でも、タイヤ構成ドラムの外部に配設されている駆動部を用いて、折返し指部の位置の制御を可能とするので、その結果、折返し指部は製造されるべき生タイヤの領域で、少なくとも１つの外側肩部を少なくとも一時的に実現するためのように、狙って力を作用させるために制御可能である。それにより、生タイヤのコアは、タイヤ構成ドラムの回転中にも、追加的に外側で固定可能である。
【００３０】
タイヤを製造するための装置の別の有利な実施形態においては、フラット構造の生タイヤも、クラウン構造の生タイヤも製造可能である。
【００３１】
これは有利には、カーカスマシン（ケーシングマシン）が第２の駆動ユニットを有していることによって、実現されている。更に本発明に従う装置は、交換可能なタイヤ構成ドラムを有しており、それはそれぞれ少なくとも１つの構成タイプをサポートしている。
【００３２】
タイヤを製造するための本発明に従う方法の有利な実施形態においては、フラット構造の生タイヤも、クラウン構造の生タイヤも、製造可能である。これは本発明に従い、クラウン構造のタイヤを製造するためのカーカスマシン内の第２の駆動ユニットを制御することによって実現されている。
【００３３】
更に、タイヤを製造するための本発明に従う方法は、折返し指部の駆動部にしてタイヤ構成ドラムの外側で支持されている駆動部を備えまた折返し指部及び駆動部の回転耐性のある連結部を備えるタイヤ製造用の装置を用いることにより、ＳＯＴ構造の生タイヤも、また同様に、ＴＯＳ構造の生タイヤも製造可能であることによって、特徴づけられている。
【００３４】
タイヤを製造するための本発明に従う方法の通常の経過が以下に説明される。格納された折返し指部、コアクランプ装置、及び肩支持部を備えるシリンダ状のドラム体へは、カーカスを製造するための複数の材料が層状に積み重ねられる。その後、セグメント化されたリング状のコアセット装置を用いて、２つのコアがドラム体上へセットされる。それらのコアはクランプ装置を用いてタイヤ構成ドラムに固定される。
【００３５】
他方でコアセット装置は、タイヤ構成ドラム内で左ネジ／右ネジのスピンドルに支持されており、当該スピンドルはサーボモータを介して正確に、又、プログラム制御されて、軸方向に移動可能である。
【００３６】
コアのセッティング後、左右のコアセット装置（ドライバ）は外側へ移動し、その結果、それらは連結部（スライドリングのリングノッチ）上方にある。結合されたコアセッティング及び軸駆動セグメントはこの場合、半径方向内側で連結部内へ移動する。それにより、コアセット装置及び折返し指部の間のサーボ制御された装置が製造される。
【００３７】
コアの間隔は、スピンドルの回転によってドラムシャフト内で減少される。同時にショルダーサポートは半径方向で外部へ出され、そして、後続の層の折返しプロセスのための安定な接触を形成する。非常に近密にインボード及びアウトボードのドラム半体上に配設されている複数の折返し指部は、それらの上にあるカーカス材料を持ち上げる。
【００３８】
製造されるべきタイヤ構造タイプ（ＳＯＴ又はＴＯＳ）に応じて、先ず、タイヤ構成ドラムが回転する場合にはランニングストリップ−ベルトパッケージが、又は、側壁部材料が、形成中のカーカスへ回転接近される。
【００３９】
コア間隔を徐々に狭めさせること及び同時に膨らんでいくカーカス内へ圧力空気を供給することに伴い、複数の折返し指部は軸方向の運動を介して外側へ向かって屈曲される。インボードドラム半体及びアウトボードドラム半体の複数の折返し指部の複数のローラは、完全に対称的にカーカス材料を形成カーカス（生タイヤ）へ丸める。外側へ屈曲された折返し指部は、ローラヘッド領域にて拡がる間隔を形成し、当該間隔は、今度はダブルローラ機構によって占められる。
【００４０】
これにより、層の折返しの際のフラットローリングが達成され、また従って、エアポケットの発生が避けられる。層の折返しが完全に終了した後、外部側から更なる半製品構成要素が供給される。
【００４１】
タイヤ構成ドラムは、必要に応じて連結されるサーボ制御式の外部コアセット装置を設けられている。それにより、両方のドラム半体のローラシステムの完全な同期運転が保証される。同時に、モータ駆動の同期運転によってどのようなスリップスティック効果（slip-stick effects）も又は空圧的な折返し指部操作の困難な又は不安定な調整も生じない。結果的に、使用者にとっては、明らかに改善された同心特性や、特には改善された円錐度及び横力変動に関して明らかに改善された均等性を期待することが出来る。
【００４２】
本発明に従うタイヤ構成ドラムは、モジュール構造に関して更なる長所を有するべきである。コアクランプ部及びショルダーサポート部の領域は、ツーベローズドラムタイプ（Two-bellows drum type）と構造的に同一に実現され得て、それにより、半径方向で外へ移動可能な機械的ショルダーサポートとの関連で、完全に確実なコアクランプが与えられている。
【００４３】
複数の折返し指部をそれらの全ての中間空間と共に使用するにもかかわらず、タイヤ構成ドラムは自動的なスプライス継ぎ目（スプライス接続）を形成するための完全に連続的な載置面を有している。
【００４４】
図中には本発明の実施例が概略的に示されている。
【図面の簡単な説明】
【００４５】
【図１】層の折返しを実現するための機械的な装置を備える本発明に従うタイヤ構成ドラムの長手断面の部分図を、材料が載せられていない状態で示す。
【図２】図１に示されているタイヤ構成ドラムの長手断面を、側壁部材料が載せられている状態で示す。
【図３】図２に示されているタイヤ構成ドラムの長手断面を、追加的にインナーライナー材料が載せられた状態で示す。
【図４】図３に示されているタイヤ構成ドラムの長手断面を、追加的にボディプライ材が載せられた状態で示す。
【図５】タイヤを製造するための本発明に従う装置内での、ランニングストリップサーバからタイヤ構成リングへの、ベルトドラムの移動を表している。
【図６】図４に示されているタイヤ構成ドラムの長手断面を、タイヤ構成リングに位置決めされ、コアをセッティングされた状態で示す。
【図７】図６に示されているタイヤ構成ドラムの長手断面を、内側肩部が引き出されそしてカーカスに空気が入れられた状態で示す。
【図８】図７に示されているタイヤ構成ドラムの長手断面を、スライドリングのリングノッチ内にドライバが位置決めされた状態で示す。
【図９】図８に示されているタイヤ構成ドラムの長手断面を、層を折り返すため及び外側肩部を実現するための動かされた折返し指部と共に示す。
【図１０】図９に示されているタイヤ構成ドラムの長手断面を、折返し工程の前に、また、ベルトパッケージ用巻きつけ装置の図と共に示す。
【図１１】図１０に示されているタイヤ構成ドラムの長手断面を、巻きつけ工程の後に、追加的に、ランニングストリップのベルトパッケージがカーカスに接続された状態で示す。
【図１２】生タイヤのＳＯＴ構造のために行われた層の折返しの後の、図１１に示されているタイヤ構成ドラムの長手断面を示す。
【図１３】タイヤを製造するための本発明に従う装置の概略図を示す。
【図１４】コアセッティング間隔及び結果的に生じる接触圧力の概略図を示す。
【発明を実施するための形態】
【００４６】
図１に図示されているタイヤ構成ドラムの一部は、層サーバ（プライサーバ）２１の中心Ｌの領域に配設されており、外機式（アウトボード）ドラム半体３及び内機式ドラム（インボード）半体５を有しており、それらはドラムシャフト２に支持されている。両方のドラム半体３、５は、中心部４と関連して、円筒状の円体（ドラム体）を形成している。この円体にはカーカスプライが施されそして生タイヤへと形成される。
【００４７】
両方のドラム半体３、５はドラムシャフト２においてロック可能である。ドラム半体３、５の軸方向の調整は駆動部によって実現されており、当該駆動部は例えばスピンドルを回転させまたそれにより軸運動を発生させる。
【００４８】
ドラム半体３、５はそれぞれコアクランプ装置６及びショルダーサポート（肩部支持部）７を有しており、それらはタイヤ構成ドラム１のドラムシャフト２に対して相対的に半径方向で移動可能である。
【００４９】
更に、ドラム半体３、５はそれぞれ、層の折返しを実現するための複数の折返し指部８を有している。折返し指部８は改良された力の伝達のための確動ガイド９を介して製造されるべき生タイヤへ案内されている。折返し指部８はタイヤ構成ドラム１内部で長手溝内に位置している。折返し指部８をタイヤ構成ドラム１の外部に配設されている不図示の駆動部と連絡させるために、ドラム半体３、５はそれぞれ１つのスライドリング１０を有しており、当該スライドリング１０にはそれぞれのドラム半体３、５に割り当てられた折返し指部８が回転運動可能に接続されている。
【００５０】
スライドリング１０のリングノッチ１０ａ内へは、折返し指部８の駆動部にしてタイヤ構成ドラム１の外部に配設されている駆動部に連結されているそれぞれ１つのドライバ１１が移動され、その結果、折返し指部８の駆動部との連結が実現される。
【００５１】
スライドリング１０はそれぞれ、回転可能なベアリング１２を介してドラム半体３、５と接続されており、当該ベアリングは図示されている本発明の実施形態においてはそれぞれ転がり軸受として実現されている。
【００５２】
図２には、本発明に従うタイヤ構成ドラム１が図１に対応的に示されている。更に、タイヤを製造するための本発明に従う方法の１つのプロセスステップが表されている。タイヤ構成ドラム１が本発明に従うタイヤを製造するための装置の層サーバ２１の中心の領域に存在している間、様々な材料層が順々に積み重ねられる。図２は、側壁部材料１３を載置した後のタイヤ構成ドラムを示している。その後インナーライナー材料１４が載置されるが、これは図３において明示されている。図４には、ボディプライ材１５を載置した後のタイヤ構成ドラム１が示されており、当該ボディ層材料１５は初めに置かれた層１３、１４の上に載せ置かれる。
【００５３】
図５はタイヤを製造するための本発明に従う方法の次のステップを示している。ベルトドラム２５は、ランニングストリップサーバ２４によってタイヤ構成リング（タイヤ形成リング）１６へ移送される。タイヤ構成リング１６はグリップ部（グリッパー）１７を有しており、当該グリップ部１７はベルトドラム２５から生タイヤのベルトパッケージ（トレッド）１８を受容しまた保持する。それに関してベルトドラム２５は、タイヤ構成リング１６の中心線Ｒの領域に位置決めされる。ベルトパッケージ１８がタイヤ構成リング１６のグリップ部１７によって受容された後、ベルトドラム２５は再度ランニングストリップサーバ２４へ移送される。
【００５４】
図６は本発明に従うタイヤ構成ドラムの長手断面を示しており、当該タイヤ構成ドラムは図５に示されているプロセスステップに従い、タイヤ構成リング１６へ移動されたものである。複数のコア１９がセットされたが、それらは半径方向外側へ移動するコアクランプ装置６を用いて固定される。
【００５５】
図７に図示されている、タイヤを製造するための本発明に従う方法の続きのステップはドラム半体３、５の移動であり、その結果、形成位置におけるコア間隔が実現されている。更に、図示されている方法ステップでは、ショルダーサポート７が外へ出され、また、カーカスは低い圧力下で空気を入れられる。必要な内圧は例えば空圧的に実現される。
【００５６】
図８はタイヤを製造するための本発明に従う方法の次のステップを示している。タイヤ構成ドラム１の外部に配設されている駆動部に連結されているドライバ１１は、駆動部を用いて、スライドリング１０のリングノッチ１０ａ内へ移動され、それにより、折返し指部８の駆動部との連結が実現される。
【００５７】
続いて、図９に示されているように、ドライバ１１は軸方向でタイヤ構成ドラム１の中心部４に向かって移動され、それにより折返し指部８は確動ガイド９によって設定される運動に対応的に始動（アクティブ化）される。ドライバ１１が共に移動する場合は、折返し指部８はコア１９へと上昇し、そして製造されるべき生タイヤ用の外側肩部（アウトショルダー）を形成する。
【００５８】
その際、有利には均等に周方向に分配されている複数の折返し指部８は、複数のローラを介して、それらの生タイヤに向き合う側にて、先ず、傾斜して配設されている不図示のリング形状の機械的な平面を、上方移動させる。
【００５９】
それに続き、図１０に図示されているように、ベルトパッケージ１８を保持するグリップ部１７は取り外される。タイヤ構成ドラム１はドラムシャフト２の周りで回転され、また、カーカスの内圧は上昇される。折返し指部８によって実現される外側肩部は、タイヤ構成ドラム１上のショルダーサポート７と共にカーカスを固定する。本発明に従うスライドリング１０の回転可能な軸受１２によって、タイヤ構成ドラム１の外側に配設される駆動部及び折返し指部８を、タイヤ構成ドラム１が回転する間も、連結したままにすることが可能である。ベルトパッケージ１８は巻きつけ装置（ローリング装置）２０を用いてカーカスに巻きつけられる。
【００６０】
カーカス（ケーシング、ケース）へベルトパッケージ１８を巻きつける方法ステップは、図１１にてより明らかにされる。巻きつけ装置２０はベルトパッケージ１８の両側部をカーカス上へ巻きつけた。タイヤ構成ドラム１はその際そのドラムシャフト２の周りで回転し、カーカスはコア１９の範囲にて再び折返し指部８及びショルダーサポート７によって固定されている。
【００６１】
図１２はランニングストリップのベルトパッケージ１８の両側壁部をカーカス上へ巻きつける方法ステップを図示している。折返し指部８は、ドライバ１１と共に更に移動することによって、カーカスに接して上方へと移動され、その後その上で、先に配置された層（プライ）のエラストマー材料が立ち上げられ、そしてコア１９の周りで折り返される。更なるステップでは、折返し指部８におけるローラは材料をカーカスに押し付ける。
【００６２】
それに続きドライバ１１の離間移動（互いに離れる移動）によってスライドリング１０が引き戻される際、折返し指部８は再びタイヤ構成ドラム１の長手溝内へ降下される。その後、複数のドライバ１１は逆移動されまたスライドリング１０のリング溝１０ａを再び解放する。
【００６３】
コアクランプ装置６及びショルダーサポート７を引き入れることによって、生タイヤは引き続きタイヤ構成ドラム１から取り外される。
【００６４】
図１３にはタイヤを製造するための本発明に従う装置の有利な実施形態が概略的に示されている。タイヤを製造するための装置はタイヤ構成ドラム１を有しており、当該タイヤ構成ドラム１は図示されている方法ステップでは層サーバ２１の中心Ｌの領域に配設されている。更に、層サーバ２１の領域ではタイヤ構成ドラムの側方にカーカスマシンが配設されている。
【００６５】
更に、タイヤを製造するための装置の示されている実施形態は、挿入サーバ（インサートサーバ）２３を有しており、当該挿入サーバ２３を用いて、強化ストリップを製造されるべき生タイヤ内へ入れることが出来る。
【００６６】
更にタイヤを製造するための装置はタイヤ構成リングを有しており、当該タイヤ構成リングの領域では、ドライバ１１及びローラ２０が配設されている。
【００６７】
追加的に本装置はランニングストリップサーバ２４を有しており、それを用いて、製造されるべき生タイヤのベルトパッケージ１８はベルトドラム上に製造可能である。
【００６８】
図１４は、本発明に従うコアセッティングによって折返しプロセスにおいて発生する接触圧力Ｆを明示して示す。生タイヤは、セットされたコアそれぞれのより大きな間隔又は少なくとも同一の間隔によって、従来技術と比べて、より平坦な輪郭又は最大限同等な高さの輪郭を有している。折返し長さＩが同じ場合、力ベクトルの関連する水平方向の力成分ＦＨＦ（Ｆ水平力）は、タイヤを構成するための装置の本発明に従う実施形態においては、従来技術に従う水平方向の力の成分ＦＳｄＴ（Ｆ従来技術）と比べて、より大きいか、又は、少なくとも同じ大きさである。
【符号の説明】
【００６９】
１              タイヤ構成ドラム
２              ドラムシャフト
３              アウトボードドラム半体
４              中心部品
５              インボードドラム半体
８              折返し指部
１０            スライドリング
１２            軸受
【図１】
2020523224.tif 000003
【図２】
2020523224.tif 000004
【図３】
2020523224.tif 000005
【図４】
2020523224.tif 000006
【図５】
2020523224.tif 000007
【図６】
2020523224.tif 000008
【図７】
2020523224.tif 000009
【図８】
2020523224.tif 000010
【図９】
2020523224.tif 000011
【図１０】
2020523224.tif 000012
【図１１】
2020523224.tif 000013
【図１２】
2020523224.tif 000014
【図１３】
2020523224.tif 000015
【図１４】
2020523224.tif 000016
【国際調査報告】
2020523224.tif 000017
2020523224.tif 000018
2020523224.tif 000019
2020523224.tif 000020
2020523224.tif 000021